【手続補正書】
【提出日】平成28年5月20日(2016.5.20)
【手続補正１】
【補正対象書類名】特許請求の範囲
【補正対象項目名】全文
【補正方法】変更
【補正の内容】
【特許請求の範囲】
【請求項１】
シートを搬送する搬送部と、
第１の位置と、前記第１の位置と異なる第２の位置と、に移動可能であり、シートを案内する案内部材と、
前記搬送部と、前記案内部材と、を駆動する駆動源と、
前記駆動源から入力された駆動力を前記搬送部及び前記案内部材に出力する遊星ギヤ機構と、を備える、
ことを特徴とするシート搬送装置。
【請求項２】
前記遊星ギヤ機構は、遊星ギヤと、前記遊星ギヤと噛み合う太陽ギヤ及び内歯ギヤと、前記遊星ギヤを回転可能に支持しつつ前記遊星ギヤを前記太陽ギヤの周りで公転させる遊星キャリアと、を有し、前記駆動源から前記遊星キャリアに入力された駆動力が前記遊星ギヤを介して前記太陽ギヤ及び前記内歯ギヤに伝達されるように構成され、
前記案内部材は、前記太陽ギヤから出力された駆動力によって移動し、
前記搬送部は、前記内歯ギヤから出力された駆動力によってシートを搬送する、
ことを特徴とする請求項１に記載のシート搬送装置。
【請求項３】
前記案内部材が前記第２の位置から前記第１の位置に向かって移動する際に、前記案内部材に当接して前記案内部材を前記第１の位置で停止させる第１の当接部と、
前記案内部材が前記第１の位置から前記第２の位置に向かって移動する際に、前記案内部材に当接して前記案内部材を前記第２の位置で停止させる第２の当接部と、を備える、
ことを特徴とする請求項１又は２に記載のシート搬送装置。
【請求項４】
前記案内部材が前記第２の位置から前記第１の位置に向かって移動するときに、前記案内部材に当接して前記案内部材を前記第１の位置で停止させる第１の当接部と、
前記案内部材が前記第１の位置から前記第２の位置に向かって移動するときに、前記案内部材に当接して前記案内部材を前記第２の位置で停止させる第２の当接部と、を備え、
前記案内部材が前記第１の当接部もしくは前記第２の当接部に当接し停止している際に、前記太陽ギヤは回転しない、
ことを特徴とする請求項２に記載のシート搬送装置。
【請求項５】
前記搬送部の駆動速度は、前記案内部材が前記第１の位置と前記第２の位置の間を移動している時よりも、前記案内部材が前記第１の位置もしくは前記第２の位置で停止している時の方が速い、
ことを特徴とする請求項１乃至４のいずれか１項に記載のシート搬送装置。
【請求項６】
前記搬送部は、前記案内部材が前記第１の位置と前記第２の位置との間を移動している際には駆動されず、かつ前記案内部材が前記第１の位置もしくは第２の位置で停止している際に駆動される、
ことを特徴とする請求項１乃至５のいずれか１項に記載のシート搬送装置。
【請求項７】
前記案内部材は、前記第１の位置で停止している際に、シートを前記搬送部に向けて案内する、
ことを特徴とする請求項１乃至６のいずれか１項に記載のシート搬送装置。
【請求項８】
前記搬送部は第１の搬送部であり、
シートを搬送する第２の搬送部を備え、
前記案内部材は、前記第１の位置で停止している際に、シートを前記第１の搬送部に向けて案内し、かつ前記第２の位置で停止している際に、シートを前記第２の搬送部に向けて案内する、
ことを特徴とする請求項１乃至６のいずれか１項に記載のシート搬送装置。
【請求項９】
前記駆動源から前記遊星ギヤ機構に入力される駆動力の方向を切り替えるアクチュエータを備え、
前記アクチュエータによる前記遊星ギヤ機構に入力される駆動力の方向の切り替えによって、前記搬送部におけるシートの搬送方向が切り替わる、
ことを特徴とする請求項１乃至８のいずれか１項に記載のシート搬送装置。
【請求項１０】
前記駆動源の駆動方向の切り替えによって、前記搬送部におけるシートの搬送方向が切り替わる、
ことを特徴とする請求項１乃至８のいずれか１項に記載のシート搬送装置。
【請求項１１】
シートにトナー画像を形成する画像形成部と、
前記トナー画像が形成されたシートを搬送しながら、前記トナー画像をシートに定着させる定着部と、
前記定着部を通過したシートを機外に排出する第１の搬送部と、
前記定着部を通過したシートを機外に排出する方向に搬送した後、再度、前記画像形成部に向かうように搬送方向を切り替えてシートを搬送する第２の搬送部と、
シートを前記第１の搬送部に案内する第１の位置と、シートを前記第２の搬送部に案内する第２の位置と、に移動可能な案内部材と、
前記第２の搬送部と、前記案内部材と、を駆動する駆動源と、
前記駆動源から入力された駆動力を前記第２の搬送部及び前記案内部材に出力する遊星ギヤ機構と、を備える、
ことを特徴とする画像形成装置。
【請求項１２】
前記遊星ギヤ機構は、遊星ギヤと、前記遊星ギヤと噛み合う太陽ギヤ及び内歯ギヤと、前記遊星ギヤを回転可能に支持しつつ前記遊星ギヤを前記太陽ギヤの周りで公転させる遊星キャリアと、を有し、前記駆動源から前記遊星キャリアに入力された駆動力が前記遊星ギヤを介して前記太陽ギヤ及び前記内歯ギヤに伝達されるように構成され、
前記案内部材は、前記太陽ギヤから出力された駆動力によって移動し、
前記第２の搬送部は前記内歯ギヤから出力された駆動力によってシートを搬送する、
ことを特徴とする請求項１１に記載の画像形成装置。
【請求項１３】
前記案内部材が前記第２の位置から前記第１の位置に向かって移動する際に、前記案内部材に当接して前記案内部材を前記第１の位置で停止させる第１の当接部と、
前記案内部材が前記第１の位置から前記第２の位置に向かって移動する際に、前記案内部材に当接して前記案内部材を前記第２の位置で停止させる第２の当接部と、を備える、
ことを特徴とする請求項１１又は１２に記載の画像形成装置。
【請求項１４】
前記案内部材が前記第２の位置から前記第１の位置に向かって移動するときに、前記案内部材に当接して前記案内部材を前記第１の位置で停止させる第１の当接部と、
前記案内部材が前記第１の位置から前記第２の位置に向かって移動するときに、前記案内部材に当接して前記案内部材を前記第２の位置で停止させる第２の当接部と、を備え、
前記案内部材が前記第１の当接部もしくは前記第２の当接部に当接し停止している際に、前記太陽ギヤは回転しない、
ことを特徴とする請求項１２に記載の画像形成装置。
【請求項１５】
前記第２の搬送部の駆動速度は、前記案内部材が前記第１の位置と前記第２の位置の間を移動している時よりも、前記案内部材が前記第１の位置もしくは前記第２の位置で停止している時の方が速い、
ことを特徴とする請求項１１乃至１４のいずれか１項に記載の画像形成装置。
【請求項１６】
前記駆動源から前記遊星ギヤ機構に入力される駆動力の方向を切り替えるアクチュエータを備え、
前記アクチュエータによる前記遊星ギヤ機構に入力される駆動力の方向の切り替えによって、前記定着部を通過したシートが前記第１の位置に位置する前記案内部材によって前記第１の搬送部に案内されて前記第１の搬送部によって搬送される第１のモードと、前記定着部を通過したシートが前記第２の位置に位置する前記案内部材によって前記第２の搬送部に案内されて前記第２の搬送部によって搬送される第２のモードと、が切り替えられる、
ことを特徴とする請求項１１乃至１５のいずれか１項に記載の画像形成装置。
【請求項１７】
前記駆動源の駆動方向の切り替えによって、前記定着部を通過したシートが前記第１の位置に位置する前記案内部材によって前記第１の搬送部に案内されて前記第１の搬送部によって搬送される第１のモードと、前記定着部を通過したシートが前記第２の位置に位置する前記案内部材によって前記第２の搬送部に案内されて前記第２の搬送部によって搬送される第２のモードと、が切り替えられる、
ことを特徴とする請求項１１乃至１５のいずれか１項に記載の画像形成装置。
【手続補正２】
【補正対象書類名】明細書
【補正対象項目名】発明の名称
【補正方法】変更
【補正の内容】
【発明の名称】シート搬送装置及び画像形成装置
【手続補正３】
【補正対象書類名】明細書
【補正対象項目名】０００１
【補正方法】変更
【補正の内容】
【０００１】
本発明は、シートを搬送するシート搬送装置及び画像形成装置に関する。
【手続補正４】
【補正対象書類名】明細書
【補正対象項目名】０００７
【補正方法】変更
【補正の内容】
【０００７】
本発明は、シート搬送装置において、シートを搬送する搬送部と、第１の位置と、前記第１の位置と異なる第２の位置と、に移動可能であり、シートを案内する案内部材と、前記搬送部と、前記案内部材と、を駆動する駆動源と、前記駆動源から入力された駆動力を前記搬送部及び前記案内部材に出力する遊星ギヤ機構と、を備える、ことを特徴とする。
【手続補正５】
【補正対象書類名】明細書
【補正対象項目名】０００８
【補正方法】変更
【補正の内容】
【０００８】
また、本発明は、画像形成装置において、シートにトナー画像を形成する画像形成部と、前記トナー画像が形成されたシートを搬送しながら、前記トナー画像をシートに定着させる定着部と、前記定着部を通過したシートを機外に排出する第１の搬送部と、前記定着部を通過したシートを機外に排出する方向に搬送した後、再度、前記画像形成部に向かうように搬送方向を切り替えてシートを搬送する第２の搬送部と、シートを前記第１の搬送部に案内する第１の位置と、シートを前記第２の搬送部に案内する第２の位置と、に移動可能な案内部材と、前記第２の搬送部と、前記案内部材と、を駆動する駆動源と、前記駆動源から入力された駆動力を前記第２の搬送部及び前記案内部材に出力する遊星ギヤ機構と、を備える、ことを特徴とする。